【手続補正書】
【提出日】平成24年11月27日(2012.11.27)
【手続補正１】
【補正対象書類名】特許請求の範囲
【補正対象項目名】全文
【補正方法】変更
【補正の内容】
【特許請求の範囲】
【請求項１】
単写モードと連写モードとに設定可能な撮像装置であって、
被写体を撮像して画像データを生成する撮像手段と、
前記撮像手段により撮像された画像データから、前記被写体の特徴を示す特徴量情報を抽出する抽出手段と、
前記抽出手段により抽出された特徴量情報を登録候補として記憶する記憶手段と、
前記記憶手段に登録候補として記憶されている特徴量情報によって示される被写体と、前記抽出手段によって抽出された特徴量情報によって示される被写体とが同一かどうかを判断する判定手段と、
前記判定手段により、前記記憶手段に登録候補として記憶されている特徴量情報によって示される被写体と、前記抽出手段によって抽出された特徴量情報によって示される被写体とが同一であると判断された回数に応じて、使用者による登録に関する操作を使用者に問い合わせる画面を表示する表示手段と、を備え、
前記判定手段は、前記記憶手段に登録候補として記憶されている特徴量情報によって示される被写体と、前記抽出手段によって抽出された特徴量情報によって示される被写体とが同一かどうかを判断した回数をカウントする方法を、単写モードか連写モードかに応じて変更する、
撮像装置。
【請求項２】
前記使用者による登録に関する操作を使用者に問い合わせる画面は、同一であると判断された被写体を示す情報を登録するか否かを選択させる画面である、請求項１に記載の撮像装置。
【請求項３】
前記使用者による登録に関する操作を使用者に問い合わせる画面は、同一であると判断された被写体に関する情報を入力させる画面である、
請求項１に記載の撮像装置。
【請求項４】
前記撮像装置が前記単写モードに設定されている場合、
前記抽出手段は、
前記撮像手段により画像データが撮像されると、前記画像データから前記特徴量情報を抽出し、
前記撮像装置が前記連写モードに設定されている場合、
前記抽出手段は、
前記撮像手段により複数の画像データが連続して撮像された場合、前記複数の画像データのうちの一部の画像データから前記特徴量情報を抽出する、請求項１ないし３のいずれか１項に記載の撮像装置。
【請求項５】
前記撮像装置が前記単写モードに設定されている場合、
前記抽出手段は、
前記撮像手段により画像データが撮像されると、前記画像データから前記特徴量情報を抽出し、
前記撮像装置が前記連写モードに設定されている場合、
前記抽出手段は、
前記撮像手段により複数の画像データが連続して撮像された場合、前記複数の画像データから前記特徴量情報を抽出しない、請求項１ないし３のいずれか１項に記載の撮像装置。
【請求項６】
前記撮像装置が前記単写モードに設定されている場合、
前記抽出手段は、
前記撮像手段により画像データが撮像されると、前記画像データから前記特徴量情報を抽出し、
前記撮像装置が前記連写モードに設定されている場合、
前記抽出手段は、
前記撮像手段により複数の画像データが連続して撮像された場合、前記複数の画像データのうちの一つの画像データから前記特徴量情報を抽出する、請求項１ないし３のいずれか１項に記載の撮像装置。
【請求項７】
フラッシュと、
周囲の明るさを検出する検出手段と、
前記フラッシュを使用して撮影された場合に、前記検出手段による検出結果に応じて、前記使用者による登録に関する操作を使用者に問い合わせる画面を表示するか否かを切り替えるように前記表示手段を制御する制御手段と、
をさらに備える、請求項１ないし６のいずれか１項に記載の撮像装置。
【請求項８】
前記制御手段は、
前記検出手段が、周囲の明るさが所定値以上であると判断したときは、前記使用者による登録に関する操作を使用者に問い合わせる画面を表示するように前記表示手段を制御し、
前記検出手段が、周囲の明るさが所定値未満であると判断したときは、前記使用者による登録に関する操作を使用者に問い合わせる画面を表示しないように前記表示手段を制御する、請求項７に記載の撮像装置。
【請求項９】
前記抽出手段により抽出された特徴量情報が示す被写体が正面を向いているか否かを検出する検出手段をさらに有し、
前記検出手段により検出された被写体が正面を向いていることが検出された場合は、前記抽出手段により抽出された特徴量情報を登録候補として前記記憶手段に記憶し、
前記検出手段により検出された被写体が所定量以上傾いていることが検出された場合は、前記抽出手段により抽出された特徴量情報を登録候補として前記記憶手段に記憶しない、請求項１ないし８のいずれか１項に記載の撮像装置。
【請求項１０】
前記撮像装置がオートブラケット撮影を行っているときは、前記撮像手段により複数の画像データが連続して撮像され、前記複数の画像データのうちの一部の画像データから前記特徴量情報を抽出する、請求項１ないし９のいずれか１項に記載の撮像装置。
【請求項１１】
前記撮像装置がオートブラケット撮影を行っているときは、前記撮像手段により複数の画像データが連続して撮像され、前記複数の画像データから前記特徴量情報を抽出しない、請求項５に記載の撮像装置。
【請求項１２】
前記撮像装置がオートブラケット撮影を行っているときは、前記撮像手段により複数の画像データが連続して撮像され、前記複数の画像データのうちの一つの画像データから前記特徴量情報を抽出する、請求項６に記載の撮像装置。
【請求項１３】
識別対象として登録されている特定の被写体を識別でき、連写モードに設定可能な撮像装置であって、
撮像手段と、
前記撮像手段により同一の被写体が撮像される回数をカウントするカウント手段と、
前記カウント手段がカウントした回数に応じて、前記識別対象としての登録に関する操作を使用者に問い合わせる画面を表示する表示手段と、を備え、
前記撮像装置が前記連写モードに設定されている場合、前記撮像手段により同一の被写体が連続して複数回撮像されたにもかかわらず、前記カウント手段は、カウントした回数を１つだけ増やす、
撮像装置。
【請求項１４】
識別対象として登録されている特定の被写体を識別でき、連写モードに設定可能な撮像装置であって、
撮像手段と、
前記撮像手段により同一の被写体が撮像される回数をカウントするカウント手段と、
前記カウント手段がカウントした回数に応じて、前記識別対象としての登録に関する操作を使用者に問い合わせる画面を表示する表示手段と、を備え、
前記撮像装置が前記連写モードに設定されている場合、前記撮像手段により同一の被写体が連続して複数回撮像されたにもかかわらず、前記カウント手段は、カウントした回数を増やさない、
撮像装置。
【請求項１５】
前記被写体は人物の顔である、請求項１３または請求項１４に記載の撮像装置。
【請求項１６】
前記使用者による登録に関する操作を使用者に問い合わせる画面は、前記複数回撮像された被写体を前記識別対象として登録するか否かを選択させる画面である、請求項１３ないし１５のいずれか１項に記載の撮像装置。
【請求項１７】
前記使用者による登録に関する操作を使用者に問い合わせる画面は、前記複数回撮像された被写体に関する情報を入力させる画面である、請求項１３ないし１６のいずれか１項に記載の撮像装置。
【請求項１８】
フラッシュと、
周囲の明るさを検出する検出手段と、
前記フラッシュを使用して撮影された場合に、前記検出手段による検出結果に応じて、前記使用者による登録に関する操作を使用者に問い合わせる画面を表示するか否かを切り替えるように前記表示手段を制御する制御手段と、
をさらに備える、請求項９ないし１７のいずれか１項に記載の撮像装置。
【請求項１９】
前記制御手段は、
前記検出手段が、周囲の明るさが所定値以上であると判断したときは、前記使用者による登録に関する操作を使用者に問い合わせる画面を表示するように前記表示手段を制御し、
前記検出手段が、周囲の明るさが所定値未満であると判断したときは、前記使用者による登録に関する操作を使用者に問い合わせる画面を表示しないように前記表示手段を制御する、請求項１８に記載の撮像装置。
【請求項２０】
識別対象として登録されている特定の被写体を識別できる撮像装置であって、
撮像手段と、
前記撮像手段により被写体が撮像されると、前記識別対象としての登録に関する操作を使用者に促す画面を表示する表示手段と、を備える、
撮像装置。
【請求項２１】
識別対象として登録されている特定の被写体を識別でき、オートブラケット撮影可能な撮像装置であって、
撮像手段と、
前記撮像手段により同一の被写体が撮像される回数をカウントするカウント手段と、
前記カウント手段がカウントした回数に応じて、前記識別対象としての登録に関する操作を使用者に問い合わせる画面を表示する表示手段と、を備え、
前記撮像装置が前記オートブラケット撮影を行う場合、前記撮像手段により同一の被写体が連続して複数回撮像されたにもかかわらず、前記カウント手段は、カウントした回数を１つだけ増やす、
撮像装置。
【請求項２２】
識別対象として登録されている特定の被写体を識別でき、オートブラケット撮影可能な撮像装置であって、
撮像手段と、
前記撮像手段により同一の被写体が撮像される回数をカウントするカウント手段と、
前記カウント手段がカウントした回数に応じて、前記識別対象としての登録に関する操作を使用者に問い合わせる画面を表示する表示手段と、を備え、
前記撮像装置が前記オートブラケット撮影を行う場合、前記撮像手段により同一の被写体が連続して複数回撮像されたにもかかわらず、前記カウント手段は、カウントした回数を増やさない、
撮像装置。
【請求項２３】
識別対象として登録されている特定の被写体を識別できる撮像装置であって、
撮像手段と、
前記撮像手段により同一の被写体が撮像される回数をカウントするカウント手段と、
前記カウント手段がカウントした回数に応じて、前記識別対象としての登録に関する操作を使用者に問い合わせる画面を表示する表示手段と、を備え、
前記識別対象としての登録に関する操作を使用者に問い合わせる画面が表示された後、前記識別対象としての登録をしない旨が前記使用者に指示された場合、前記カウント手段は、カウントした回数をリセットする、
撮像装置。
【手続補正２】
【補正対象書類名】明細書
【補正対象項目名】０００６
【補正方法】変更
【補正の内容】
【０００６】
上記課題を解決するために、本発明にかかる第１の撮像装置は、単写モードと連写モードとに設定可能である。第１の撮像装置は、被写体を撮像して画像データを生成する撮像手段と、撮像手段により撮像された画像データから、被写体の特徴を示す特徴量情報を抽出する抽出手段と、抽出手段により抽出された特徴量情報を登録候補として記憶する記憶手段と、記憶手段に登録候補として記憶されている特徴量情報によって示される被写体と、抽出手段によって抽出された特徴量情報によって示される被写体とが同一かどうかを判断する判定手段と、判定手段により、記憶手段に登録候補として記憶されている特徴量情報によって示される被写体と、抽出手段によって抽出された特徴量情報によって示される被写体とが同一であると判断された回数に応じて、使用者による登録に関する操作を使用者に問い合わせる画面を表示する表示手段と、を備える。判定手段は、記憶手段に登録候補として記憶されている特徴量情報によって示される被写体と、抽出手段によって抽出された特徴量情報によって示される被写体とが同一かどうかを判断した回数をカウントする方法を、単写モードか連写モードかに応じて変更する。
【手続補正３】
【補正対象書類名】明細書
【補正対象項目名】０００７
【補正方法】変更
【補正の内容】
【０００７】
また、本発明にかかる第２の撮像装置は、識別対象として登録されている特定の被写体を識別でき、連写モードに設定可能である。第２の撮像装置は、撮像手段と、撮像手段により同一の被写体が撮像される回数をカウントするカウント手段と、カウント手段がカウントした回数に応じて、識別対象としての登録に関する操作を使用者に問い合わせる画面を表示する表示手段と、を備える。撮像装置が連写モードに設定されている場合、撮像手段により同一の被写体が連続して複数回撮像されたにもかかわらず、カウント手段は、カウントした回数を１つだけ増やす。
【手続補正４】
【補正対象書類名】明細書
【補正対象項目名】０００８
【補正方法】変更
【補正の内容】
【０００８】
また、本発明にかかる第３の撮像装置は、識別対象として登録されている特定の被写体を識別でき、連写モードに設定可能である。第３の撮像装置は、撮像手段と、撮像手段により同一の被写体が撮像される回数をカウントするカウント手段と、カウント手段がカウントした回数に応じて、識別対象としての登録に関する操作を使用者に問い合わせる画面を表示する表示手段と、を備え、撮像装置が連写モードに設定されている場合、撮像手段により同一の被写体が連続して複数回撮像されたにもかかわらず、カウント手段は、カウントした回数を増やさない。
【手続補正５】
【補正対象書類名】明細書
【補正対象項目名】０００９
【補正方法】変更
【補正の内容】
【０００９】
また、本発明にかかる第４の撮像装置は、識別対象として登録されている特定の被写体を識別できる撮像装置である。第４の撮像装置は、撮像手段と、撮像手段により被写体が撮像されると、識別対象としての登録に関する操作を使用者に促す画面を表示する表示手段と、を備える。
【手続補正６】
【補正対象書類名】明細書
【補正対象項目名】００１０
【補正方法】変更
【補正の内容】
【００１０】
また、本発明にかかる第５の撮像装置は、識別対象として登録されている特定の被写体を識別でき、オートブラケット撮影可能な撮像装置である。第５の撮像装置は、撮像手段と、撮像手段により同一の被写体が撮像される回数をカウントするカウント手段と、カウント手段がカウントした回数に応じて、識別対象としての登録に関する操作を使用者に問い合わせる画面を表示する表示手段と、を備える。撮像装置がオートブラケット撮影を行う場合、撮像手段により同一の被写体が連続して複数回撮像されたにもかかわらず、カウント手段は、カウントした回数を１つだけ増やす。
【手続補正７】
【補正対象書類名】明細書
【補正対象項目名】００１１
【補正方法】変更
【補正の内容】
【００１１】
また、本発明にかかる第６の撮像装置は、識別対象として登録されている特定の被写体を識別でき、オートブラケット撮影可能な撮像装置である。第６の撮像装置は、撮像手段と、撮像手段により同一の被写体が撮像される回数をカウントするカウント手段と、カウント手段がカウントした回数に応じて、識別対象としての登録に関する操作を使用者に問い合わせる画面を表示する表示手段と、を備える。撮像装置がオートブラケット撮影を行う場合、撮像手段により同一の被写体が連続して複数回撮像されたにもかかわらず、カウント手段は、カウントした回数を増やさない。
【手続補正８】
【補正対象書類名】明細書
【補正対象項目名】００１２
【補正方法】変更
【補正の内容】
【００１２】
また、本発明にかかる第７の撮像装置は、識別対象として登録されている特定の被写体を識別できる撮像装置である。第７の撮像装置は、撮像手段と、撮像手段により同一の被写体が撮像される回数をカウントするカウント手段と、カウント手段がカウントした回数に応じて、識別対象としての登録に関する操作を使用者に問い合わせる画面を表示する表示手段と、を備える。識別対象としての登録に関する操作を使用者に問い合わせる画面が表示された後、識別対象としての登録をしない旨が使用者に指示された場合、カウント手段は、カウントした回数をリセットする。
【手続補正９】
【補正対象書類名】明細書
【補正対象項目名】００１３
【補正方法】削除
【補正の内容】